(57)【要約】      （修正有）【課題】ゴミ袋の交換を迅速かつ容易に行うことができるゴミ箱を提供する。【解決手段】本体、サポート台２、嵌合蓋３により組成する。ゴミ袋４をサポート台２の第一支持端２４に嵌め入れ、第一支持端２４と第二支持端２５により、本体１係合部１２の欠口１２０に設置後、スライドレール１２３を利用し、適当な位置まで移動させ定位し、さらにゴミ袋４の自由端を、錐状のバケツ体からなる本体の上端開口の頚部１３まで上向きに引き出し、嵌めて設置する。さらに、嵌合蓋３を頚部１３に対応させて被せて設置し、ゴミ袋４を圧迫して押さえ、ゴミ箱を構成する。【選択図】図４
0003158331.tif 000002
【実用新案登録請求の範囲】
【請求項１】
本体、サポート台、嵌合蓋により組成し、ゴミ袋を差し入れて、ゴミを入れることができるバケツ体構造を形成し、
前記本体は、錐状のバケツ体で、その底部側縁には、複数の凹部を対応して設置し、前記本体内の底部には、欠口、第一フランジ、第二フランジ、スライドレールにより組成する係合部を設置し、
前記本体外部上の開口端には、頚部を形成し、複数の穿孔を設置し、
前記サポート台は、第一包覆部、第二包覆部、槽部を備え、
前記嵌合蓋は、包覆式の嵌合部品により組成し、
前記ゴミ袋を、前記サポート台の第一支持端と第二支持端に嵌め入れ、さらに前記サポート台を前記本体係合部の欠口に入れた後、スライドレールを利用して適当な位置まで移動させ定位し、さらに前記ゴミ袋の自由端を前記本体上端開口の頚部まで伸ばして被せ、折り返して穿孔に押し入れ、
また、前記嵌合蓋を、前記頚部に対応させて被せて設置し、前記ゴミ袋を圧迫して押さえ、ゴミ箱の構造を構成することを特徴とするゴミ箱の構造。
【請求項２】
前記ゴミ袋の２枚が相互に連続する位置には、スリット線を備えることを特徴とする請求項１に記載のゴミ箱の構造。
【考案の詳細な説明】
【技術分野】
【０００１】
本考案はゴミ箱の構造に関し、特に衛生的で、ゴミ袋の交換を迅速、便利に行うことができ、ゴミ袋を保管できるゴミ箱の構造に関する。
【背景技術】
【０００２】
図１に示すように、従来のゴミ箱の構造はみな、さまざまな形状のバケツ体構造である。使用者の大部分は、衛生に考慮して、ゴミ箱５内にプラスチック製のゴミ袋を被せて設置し、ゴミがいっぱいになると、ゴミ袋４を取り出し、新しいゴミ袋４に交換している。しかし、この種のゴミ箱５内のゴミ袋４は、通常はゴミが重い、或いは過度に圧迫された結果、ゴミ箱５内に滑り落ちてしまっており、しかもゴミ袋４を交換する際には、極めて面倒であるという欠点があった。
【０００３】
本考案は、従来のゴミ箱の構造の上記した欠点に鑑み、衛生的で、ゴミ袋の交換を迅速、便利に行うことができ、ゴミ袋を保管できるゴミ箱の構造を提供しようとなされたものである。
【考案の概要】
【考案が解決しようとする課題】
【０００４】
本考案が解決しようとする課題は、ゴミ箱内底部に係合部を設置し、ロール状のゴミ袋を嵌めて設置したサポート台をその上に嵌めて設置し、最上方のゴミ袋がいっぱいになったなら、嵌合蓋を取り上げて、ゴミ袋底部の連結位置を軽く破き、こうして衛生的で、ゴミ袋の交換を迅速、便利に行うことができ、ゴミ袋を保管できるゴミ箱の構造を提供することである。
【課題を解決するための手段】
【０００５】
上記課題を解決するため、本考案は下記のゴミ箱の構造を提供する。
ゴミ箱の構造は、本体、サポート台、嵌合蓋により組成し、
該本体は、錐状のバケツ体で、その底部側縁には、等距離で複数の凹部を設置し、該本体内の底部には、欠口、第一フランジ、第二フランジ、スライドレールにより組成する係合部を設置し、該本体外部上の開口端には頚部を形成し、複数の穿孔を設置し、
該サポート台は、ゴミ袋を通して嵌めるパーツで、第一包覆部、第二包覆部、槽部、第一支持端、第二支持端により構成し、
該嵌合蓋は包覆式の嵌合部品で、
ゴミ袋を該サポート台の第一支持端に嵌め入れ、該第二包覆部の第一支持端と第二支持端により、該本体係合部の欠口に設置後、該スライドレールを利用し、適当な位置まで移動させ定位し、さらに該ゴミ袋の自由端を、該本体上端開口の頚部まで上向きに引き出し嵌めて設置し、該嵌合蓋を頚部に対応させて被せて設置し、該ゴミ袋を圧迫して押さえ、ゴミ箱の構造を構成する。
【考案の効果】
【０００６】
本考案ゴミ箱の構造は、衛生的で、ゴミ袋の交換を迅速、便利に行うことができ、ゴミ袋を保管することができる。
【図面の簡単な説明】
【０００７】
【図１】従来のゴミ箱の構造の立体外観図である。
【図２】本考案ゴミ箱の構造一実施例の立体外観図である。
【図３】本考案ゴミ箱の構造一実施例の立体分解図である。
【図４】本考案ゴミ箱の構造一実施例の組合せ断面図である。
【図５】本考案ゴミ箱の構造一実施例の平面組合せ模式図(一)である。
【図６】本考案ゴミ箱の構造一実施例の平面組合せ模式図(二)である。
【図７】本考案ゴミ箱の構造一実施例の使用状態を示す平面模式図である。
【考案を実施するための形態】
【０００８】
以下に図面を参照しながら本考案を実施するための最良の形態について詳細に説明する。
【実施例】
【０００９】
本考案ゴミ箱の構造一実施例の立体外観図である図２、立体分解図本図３に示すように、本考案は本体１、サポート台２、嵌合蓋３により組成する。
【００１０】
本体１は、錐状のバケツ体で、その底部側縁には、複数の凹部１１を対応して設置する。本体１内の底部には、欠口１２０、第一フランジ１２１、第二フランジ１２２、スライドレール１２３により組成する係合部１２を設置する。本体１外部上の開口端には、頚部１３を形成し、頚部１３周縁の適当な位置には、複数の穿孔１３１を設置する。
【００１１】
サポート台２は、ゴミ袋４を通して嵌めるパーツである。サポート台２は、第一包覆部２１、第二包覆部２２、槽部２３、第一支持端２４、第二支持端２５により構成する。嵌合蓋３は、包覆式の嵌合部品で、ゴミ袋４は、ロール状を呈するプラスチック袋体である。
【００１２】
本考案ゴミ箱の構造一実施例の立体分解図である図３、組合せ断面図である図４、平面組合せ模式図(一)である図５、平面組合せ模式図(二)である図６に示すように、組立て時には、本考案ゴミ箱の構造は、先ず、ロール状を呈するゴミ袋４を、サポート台２内に嵌めて設置し、サポート台２底部の第一支持端２４と第二支持端２５により、本体１内底面係合部１２の欠口１２０に設置する。次に、サポート台２の第一支持端２４と第二支持端２５全体に、適当な角度の平面回転を行わせ、定位する。続いて、ゴミ袋４の開放端を、サポート台２の第一包覆部２１と第二包覆部２２間に形成する槽部２３より、適当な長さだけ引き出す。さらに、ゴミ袋４の自由端を、本体１の頚部まで上向きに引き出し、並びに外へ向けて下方へと引き、頚部１３上に嵌めて設置し、さらに折り返して、頚部１３の穿孔１３１に押し入れる。また、嵌合蓋３を、本体１の穿孔１３１に対応させ、頚部１３上を挟持し、固定する。こうして本考案のゴミ箱の構造を構成する。
【００１３】
本考案ゴミ箱の構造一実施例の平面組合せ模式図(一)である図５、平面組合せ模式図(二)である図６、使用状態を示す平面模式図である図７に示すように、使用時に、ゴミがいっぱいになりそうなことを使用者が発見したなら、本体１外底部の隣接する任意の２個の凹部１１を両足で踏み、嵌合蓋３を軽く上へと引き、頚部１３から引き出す。次に、ゴミ袋４の開口端を頚部１３の係合、及び穿孔１３１の挟持から離脱させ、２枚のゴミ袋４が相互に連続する位置にあるスリット線４１を軽く裂いて、廃棄する(図７参照)。この後、図５、６に示す動作を繰り返して行う。すなわち、ゴミ袋４の自由端を引き上げ、本体１上端の開口した頚部１３外に嵌め、折り返して穿孔１３１に押し入れ、また嵌合蓋３を頚部１３に対応させて嵌めて設置し、ゴミ袋４の開口を圧迫して押さえる。こうして、衛生的で、ゴミ袋の交換を迅速、便利に行うことができ、ゴミ袋を保管できるゴミ箱の構造形成する。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案の要件である新規性を備え、従来の同類製品に比べ十分な進歩を有し、実用性が高く、社会のニーズに合致しており、産業上の利用価値は非常に大きい。
【符号の説明】
【００１６】
１  本体
１１  凹部
１２  係合部
１２０  欠口
１２１  第一フランジ
１２２  第二フランジ
１２３  スライドレール
１３  頚部
１３１  穿孔
２  サポート台
２１  第一包覆部
２２  第二包覆部
２３  槽部
２４  第一支持端
２５  第二支持端
３  嵌合蓋
４  ゴミ袋
４１  スリット線
５  ゴミ箱
【図１】
0003158331.tif 000003
【図２】
0003158331.tif 000004
【図３】
0003158331.tif 000005
【図４】
0003158331.tif 000006
【図５】
0003158331.tif 000007
【図６】
0003158331.tif 000008
【図７】
0003158331.tif 000009